(57)【要約】【課題】スタンドが配置される場所毎に異なる小物を、要求に応じて保持することのできる小物保持用スタンドを提供する。【解決手段】設置面に載置され所定重量を有し上面に支持穴が設けられた台座と、台座の支持穴に下端部が嵌入され台座に立設された支柱と、柱に対して支柱の軸心回りに回転可能かつ着脱可能に設けられる嵌合部と嵌合部に設けられ小物を保持する保持部とを有する複数の小物保持ユニットと、を備え、複数の小物保持ユニットは、嵌合部の長さ、保持部の形状、および嵌合部と保持部との結合形状の少なくとも１つが異なる複数種類の小物保持ユニットを含み、複数の小物保持ユニットは、各嵌合部が支柱に嵌合されて積み重ねられることにより、所望の順序で支柱に配設される。【選択図】図１
2016136986.tif 000002
【特許請求の範囲】
【請求項１】
設置面に載置され所定重量を有し上面に支持穴が設けられた台座と、
前記台座の前記支持穴に下端部が嵌入され前記台座に立設された支柱と、
前記支柱に対して前記支柱の軸心回りに回転可能かつ着脱可能に設けられる嵌合部と前記嵌合部に設けられ小物を保持する保持部とを有する複数の小物保持ユニットと、を備え、
前記複数の小物保持ユニットは、前記嵌合部の長さ、前記保持部の形状、および前記嵌合部と前記保持部との結合形状の少なくとも１つが異なる複数種類の小物保持ユニットを含み、
前記複数の小物保持ユニットは、各前記嵌合部が前記支柱に嵌合されて積み重ねられることにより、所望の順序で前記支柱に配設される小物保持用スタンド。
【請求項２】
前記嵌合部の上端面および下端面には凹凸が形成され、前記支柱に嵌合されて積み重ねられた隣接する前記嵌合部の前記上端面および前記下端面に形成された凹凸が、隣接する前記嵌合部の相対回転を規制するように係合する請求項１に記載の小物保持用スタンド。
【請求項３】
前記複数種類の小物保持ユニットの前記保持部は、前記嵌合部から半径方向に拡張する複数の拡張部を有し、隣接する前記拡張部間には底面同士を合わせた１組のスリッパのライニング部分が挿入可能な保持隙間が設けられた複数のスリッパ保持部を備えている請求項１または２に記載の小物保持用スタンド。
【請求項４】
前記複数種類の小物保持ユニットの前記嵌合部は、前記支柱に対して交差する方向に突出する枝部が一体に形成され、
前記複数種類の小物保持ユニットの前記保持部は、前記嵌合部に基端部が固定され水平方向に沿って延在し靴のトウ部を支持する第１支持バーと、前記嵌合部に基端部が固定され前記第１支持バーと平行な方向に沿って延在し靴のヒール部を支持する第２支持バーと、
を有する請求項１乃至請求項３のいずれか１項に記載の小物保持用スタンド。
【請求項５】
前記複数種類の小物保持ユニットの前記嵌合部は、前記支柱に対して直角な方向に突出するアーム部が一体に形成され、
前記複数種類の小物保持ユニットの前記保持部は、前記嵌合部に基端部が固定され先端部が上方に向かう鈎状に形成された複数のフック部を有する請求項１乃至請求項４のいずれか１項に記載の小物保持用スタンド。
【請求項６】
積み重ねられる前記嵌合部の間に、前記支柱に嵌合されるスペーサを更に備え、
前記スペーサの上端面および下端面には前記嵌合部の凹凸と係合する凹凸が形成され、
前記隣接する嵌合部は、前記スペーサを介して相対回転を規制して積み重ねられる請求項２乃至請求項５のいずれか１項に記載の小物保持用スタンド。
【請求項７】
前記台座の上面には、前記支持穴の周りに、上方に開口し傘の先端部が挿入可能な挿入保持穴が設けられている請求項１乃至請求項６のいずれか１項に記載の小物保持用スタンド。
【発明の詳細な説明】
【技術分野】
【０００１】
本発明は、スタンドを構成する保持部材の組み合わせを変更して、用途に合わせて異なった種類の小物を保持することのできる小物保持用スタンドに関する。
【背景技術】
【０００２】
従来、鉢植えの花、スリッパ、靴、カサなど、短い期間で取り替える或いは繰り返し使用することを前提とした小物を、玄関先や廊下などで保持するものとして、フラワースタンド、小物置きスタンド等が知られている。
【０００３】
特許文献１には、支柱、支柱に回転可能に装着されている回転支持手段、回転支持手段に連繋された枠状の物品支持具、および物品支持具に着脱可能に嵌装される支持皿を備えた多目的スタンドが記載されている。
特許文献２には、床面と天井との間に立設された支柱、支柱に回転可能かつ上下動自在に設けられる花台、および花台に着脱可能に設けられたガードリングを備えたフラワースタンドが記載されている。
【先行技術文献】
【特許文献】
【０００４】
【特許文献１】実用新案登録第３０２４２７７号公報
【特許文献２】特開２０００−１１６４８４号公報
【発明の概要】
【発明が解決しようとする課題】
【０００５】
しかし、特許文献１の多目的スタンドは、枠状の物品支持具を利用して支持できる物品に限られているものである。そのため、特許文献１の多目的スタンドでは、例えば、靴、スリッパ、キーホルダ等を効率的に保持することができず、用途が限定されている。
特許文献２のものでは、専ら鉢植えの花を保持するもので、転倒防止を図ることを企図するものである。支柱は、床面と天井との間に立設されるものであるため、スタンドを簡単に移動することが困難である。また、配設する天井の強度が影響するので、配置可能な場所が限定される。
【０００６】
本発明は、上述した問題を解消するためになされたもので、スタンドが配置される場所毎に種類が異なる小物を、要求に応じて保持することのできる小物保持用スタンドを提供することを目的とする。
【課題を解決するための手段】
【０００７】
上記の課題を解決するために、本発明は、設置面に載置され所定重量を有し上面に支持穴が設けられた台座と、前記台座の前記支持穴に下端部が嵌入され前記台座に立設された支柱と、前記支柱に対して前記支柱の軸心回りに回転可能かつ着脱可能に設けられる嵌合部と前記嵌合部に設けられ小物を保持する保持部とを有する複数の小物保持ユニットと、を備え、前記複数の小物保持ユニットは、前記嵌合部の長さ、前記保持部の形状、および前記嵌合部と前記保持部との結合形状の少なくとも１つが異なる複数種類の小物保持ユニットを含み、前記複数の小物保持ユニットは、各前記嵌合部が前記支柱に嵌合されて積み重ねられることにより、所望の順序で前記支柱に配設される。
【発明の効果】
【０００８】
本発明によると、複数の小物保持ユニットは、嵌合部の長さ、保持部の形状、嵌合部と保持部の結合形状が異なる複数種類の小物保持ユニットを含んでいるので、保持する小物の種類、小物保持用スタンドの用途、小物保持用スタンドが配置される場所に応じて、小物保持ユニットの組み合わせを選択して、最も使用に適した小物保持用スタンドとすることができる。
【図面の簡単な説明】
【０００９】
【図１】本発明の第１実施形態における小物保持用スタンドの概要を示す斜視図である。
【図２】台座に支柱を立設させた状態を示す斜視図である。
【図３】台座の一部を破断して示す断面図である。
【図４】一部を破断して示す皿ユニットの斜視図である。
【図５】嵌合本体部に設けられる凹凸を拡大した斜視図で示す部分拡大図である。
【図６】先端皿ユニットを示す斜視図である。
【図７】両側支持靴保持ユニットを示す斜視図である。
【図８】片側支持靴保持ユニットを示す斜視図である。
【図９】両側支持靴保持ユニットの別例を示す斜視図である。
【図１０】掛止フックユニットを示す斜視図である。
【図１１】第２実施形態における小物保持用スタンドの概要を示す斜視図である。
【図１２】第２実施形態におけるスリッパ保持ユニットの嵌合部を示す斜視図である。
【図１３】第２実施形態におけるスリッパ保持ユニットの保持部を示す斜視図である。
【図１４】第２実施形態におけるスリッパ保持ユニットの支柱への嵌合状態を一部の断面で示す断面図である。
【図１５】第２実施形態におけるスリッパ保持ユニットの保持部へスリッパを保持する状態を示す概要図である。
【図１６】第２実施形態におけるスリッパ保持ユニットの保持部にスリッパが保持された状態を、一部断面でしめす説明図である。
【図１７】第２実施形態におけるスリッパ保持ユニットの保持部の別例を示す図である。
【図１８】第２実施形態におけるスリッパ保持ユニットの保持部の別例を示す図である。
【図１９】第２実施形態におけるスリッパ保持ユニットの保持部の別例を示す図である。
【図２０】第２実施形態におけるスリッパ保持ユニットの保持部の別例を示す図である。
【発明を実施するための形態】
【００１０】
＜第１実施形態＞
以下、図１〜図１０に基づき、本発明の小物保持用スタンドの第１実施形態について説明する。図１に示すように、本実施形態による小物保持用スタンド１は、主な構成要素として台座２と、台座に設けられた支柱３と、支柱３に設けられた複数種類の小物保持ユニット４とを備えている。
【００１１】
台座２は、図２および図３に示すように、例えば、アルミニウム合金鋳物製で、円盤状の台座本体部２１と、台座本体部２１の外周下端より下方に突設する複数の脚部２２と、台座本体部２１の軸心中央部に上方に突出して設けられ、軸心に沿って貫通穴２３ａが設けられた支持穴２３とを有している。台座２は、支柱３、複数種類の小物保持ユニット４を安定して支持するため、例えば、１０ｋｇ程度の重量に設定される。
台座本体部２１には、上方が開口する挿入保持穴２４が支持穴２３の周りに複数（８か所）設けられている。挿入保持穴２４は、傘Ｕの先端部が挿入可能な内径で形成され、図３に示すように、挿入保持穴２４の内側には下方に向かって内径が漸減する支持壁２４ａが設けられている。
【００１２】
傘Ｕの先端部は、軸径が比較的細い金属製或は木製の長い傘用のもの、軸径が比較的太い折畳傘用のもの、先端部の軸径が太い女性傘用のもの等、様々な種類がある。挿入保持穴２４は、入口側が広く形成され、奥に向かって狭くなっているので、挿入される傘Ｕの先端外径に応じて、挿入保持穴２４内のいずれかの位置で支持壁２４ａが傘Ｕの先端に当接して傘Ｕを保持することができる。また、挿入保持穴２４を、例えば、先端部の軸径が太い傘に合わせた内径のものとし、先端部の軸径が細い傘に適合させる筒状の補助部材を挿入保持穴に備えるようにしてもよい。
【００１３】
支持穴２３の貫通穴２３ａは、下方に向かって内径が漸減するよう形成され、貫通穴２３ａに支柱３の下端部が差し込まれて固定されるよう構成されている。
支持穴２３の上端面には、図２および図５に示すように、凹凸５が形成されている。凹凸５は、支柱３の軸心回りに沿って、直線的なプラス傾斜面５ａと直線的なマイナス傾斜面５ｂとが交互に繰り返すよう形成されている。斜面の傾斜は、図５に示すように、例えば、１０度に設定されている。
【００１４】
支柱３は、図２に示すように、例えば、支柱上部３ａと支柱下部３ｂとの２本組みで構成される。支柱上部３ａの下端部には、支柱３の外径より細いねじ径の雄ねじ部（図略）が形成され、支柱下部３ｂの上端部には雄ねじ部に螺合する雌ねじ穴（図略）が設けられている。支柱上部３ａの雄ねじ部と支柱下部３ｂの雌ねじ穴とを螺合することで、１本の支柱３に連結されるよう構成されている。支柱上部３ａの上端部は、上方に向かって外径が緩やかに漸減するテーパ状に形成され、後述する先端皿ユニット４１の支持筒部４１ｂの穴に嵌合する。支柱下部３ｂの下端部３ｂ１は、下方に向かって外径が緩やかに漸減するテーパ状に形成され、下端部３ｂ１が支持穴２３の貫通穴２３ａに嵌入されて固定される。
【００１５】
複数種類の小物保持ユニット４は、図１に示すように、支柱の先端で小物を保持する先端皿ユニット４１、支柱の途中で小物を保持する皿ユニット４２、支柱の両側で靴を保持する両側支持靴保持ユニット４３、支柱の片側で靴を保持する片側支持靴保持ユニット４４、掛止可能な小物を保持する掛止フックユニット４５を有している。
【００１６】
先端皿ユニット４１は、図６に示すように、高さの低い有底円筒状に形成された保持部としての皿部４１ａと、皿部４１ａと一体に形成され、皿部４１ａの下端面中央から下方に突出するとともに、皿部４１ａの軸心に沿って下方へのみ開口する穴が穿設された支持筒部４１ｂ（嵌合部）と、を有している。支持筒部４１ｂの穴は、支柱３の先端が嵌入可能であり、上方に向かって内径が漸減するよう形成されている。皿部４１ａ１と支持筒部４１ｂとは、例えば、アルミニウム合金鋳物製である。
【００１７】
皿ユニット４２は、図４に示すように、高さの低い有底円筒状に形成された保持部としての皿部４２ａと、皿部４２ａの外側に皿部４２ａの半径方向に突出する支持腕４２ｂ２、および支柱３に外嵌され支柱３の軸心回りに回転可能な円筒状の嵌合本体部４２ｂ１を有する嵌合部４２ｂと、を備えている。ここで、皿部４２ａの高さの低い有底円筒状の形状が、「保持部の形状」に相当する。嵌合本体部４２ｂ１は支柱３の先端より外嵌可能であり、支柱３の先端より抜き出し可能である（着脱可能）。また、嵌合本体部４２ｂ１が支柱３に嵌合された際に、嵌合本体部４２ｂ１の支柱３の軸心方向に沿う方向の長さが、「嵌合部の長さ」に相当する。
皿部４２ａと支持腕４２ｂ２と嵌合本体部４２ｂ１とは、例えば、アルミニウム合金鋳物製で、一体に形成されている。ここで、皿部４２ａと嵌合本体部４２ｂ１とを支持腕４２ｂ２で結合する形状が、「嵌合部と保持部との結合形状」に相当する。
嵌合本体部４２ｂ１の上端面および下端面には、図５に示すように、嵌合本体部４２ｂ１の円周方向に沿って、プラス傾斜面５ａおよびマイナス傾斜面５ｂが交互に連続する凹凸５が形成されている。凹凸５のプラス傾斜面５ａおよびマイナス傾斜面５ｂは、例えば、水平面に対して１０度の傾斜で形成されている。
このように嵌合本体部４２ｂ１の上端面および下端面を１０度という緩やかな傾斜面からなる凹凸５に設定することで、組み立てられ玄関等に載置された使用状態にある小物保持用スタンド１において、皿ユニット４２を支柱３回りに容易に回転させることができる。これによって、保持された小物を取りやすい位置に皿ユニット４２を位置決めしたり、傍を通過する人の体が不用意に接触しない位置に皿ユニット４２を位置決めしたりするなど、必要に応じて柔軟に皿ユニット４２の位置変更を行なうことができる。後述する他の小物保持ユニット４において、夫々の嵌合本体部４３ｂ１，４４ｂ１，４５ｂ１の上端面および下端面にも凹凸５が形成されており、同様の作用効果を生じる。
【００１８】
両側支持靴保持ユニット４３は、図１および図７に示すように、支柱３に外嵌され支柱３の軸心回りに回転可能な円筒状の嵌合本体部４３ｂ１、および嵌合本体部４３ｂ１に基端部が固定され、支柱３に嵌合本体部４３ｂ１が外嵌された際に、支柱３に対して直角な水平方向（交差する方向）に突出する第１枝部４３ｂ２および第２枝部４３ｂ３が、嵌合本体部４３ｂ１の両外側に設けられている。第１および第２枝部４３ｂ２，４３ｂ３は、長板状に形成されている。第１枝部４３ｂ２には、基端部が第１枝部４３ｂ２に固定され、第１枝部４３ｂ２に対して直角な水平方向に沿って延在する第１支持バー４３ａ１が、第１枝部４３ｂ２を中心に両側に設けられている。第１支持バー４３ａ１は、丸棒材で形成されている。第１支持バー４３ａ１の先端部には鍔状の脱落防止部４３ａ４が形成され第１支持バー４３ａ１に載置された靴Ｓが第１支持バー４３ａ１の先端より脱落するのを防止する。
【００１９】
第２枝部４３ｂ３には、基端部が第２枝部４３ｂ３に固定され、第２枝部４３ｂ３に対して直角な水平方向に沿って延在する第２支持バー４３ａ２が、第２枝部４３ｂ３を中心に両側に設けられている。第２支持バー４３ａ２は、第１支持バー４３ａ１に対して同じ高さで平行に設けられている。第２支持バー４３ａ２は、第１支持バー４３ａ１と同様に丸棒材で形成され、先端に脱落防止部４３ａ４が形成されている。第１支持バー４３ａ１は、例えば靴Ｓのトウ部を保持し、第２支持バー４３ａ２は、例えば靴Ｓのヒール部を保持する。
ここで、脱落防止部４３ａ４が先端に設けられ、丸棒材で形成された第１支持バー４３ａ１および第２支持バー４３ａ２の形状が、「保持部の形状」に相当する。これらの嵌合本体部４３ｂ１、第１枝部４３ｂ２および第２枝部４３ｂ３により嵌合部４３ｂ（図１参照）が構成される。また、嵌合本体部４３ｂ１に対し、第１枝部４３ｂ２を介して第１支持バー４３ａ１を結合する形状、および嵌合本体部４３ｂ１に対し、第２枝部４３ｂ３を介して第２支持バー４３ａ２を結合する形状が、「嵌合部と保持部との結合形状」に相当する。
【００２０】
第１支持バー４３ａ１と第２支持バー４３ａ２との間には、嵌合本体部４３ｂ１に基端部が固定され、第１支持バー４３ａ１および第２支持バー４３ａ２と平行に延在する中間支持バー４３ａ３が嵌合本体部４３ｂ１の両側に設けられている。中間支持バー４３ａ３には、図７に示すように、例えば、子供用の靴ＳＳのトウ部が支えられる。第１支持バー４３ａ１、第２支持バー４３ａ２および中間支持バー４３ａ３により保持部４３ａが構成される（図１参照）。両側支持靴保持ユニット４３の嵌合本体部４３ｂ１の上端面および下端面には、皿ユニット４２の嵌合本体部４２ｂ１と同様に凹凸５が設けられている。これらの嵌合本体部４３ｂ１、第１枝部４３ｂ２、第２枝部４３ｂ３、第１支持バー４３ａ１、中間支持バー４３ａ３および第２支持バー４３ａ２は、例えばアルミニウム合金鋳物製で、一体に形成されている。子供用の靴ＳＳを保持する場合には、中間支持バー４３ａ３が、靴ＳＳのトウ部を支持する第１支持バーまたは靴ＳＳのヒール部を支持する第２支持バーに相当する。
なお、図７に示すように、支柱３に対して片側にある第１支持バー４３ａ１、中間支持バー４３ａ３および第２支持バー４３ａ２に、両足の靴Ｓを保持するものとしたが、これに限定されず、例えば、図９に示すように、支柱３に対して両側にある第１支持バー４３ｃ１、中間支持バー４３ｃ３および第２支持バー４３ｃ２に片足の靴Ｓ１，Ｓ２を振り分けて保持してもよい。この場合、第１支持バー４３ｃ１、中間支持バー４３ｃ３および第２支持バー４３ｃ２の長さを短く設定することができ、コンパクトな小物保持用スタンドとすることができる。
【００２１】
片側支持靴保持ユニット４４は、図８に示すように、両側支持靴保持ユニット４３と同様に嵌合本体部４４ｂ１、嵌合本体部４４ｂ１に基端部が固定された第１枝部４４ｂ２および第２枝部４４ｂ３を有している。これらの嵌合本体部４４ｂ１、第１枝部４４ｂ２および第２枝部４４ｂ３により嵌合部４４ｂが構成されている。第１枝部４４ｂ２には、基端部が第１枝部４４ｂ２に固定され、第１枝部４４ｂ２に対して直角な水平方向に沿って延在する第１支持バー４４ａ１が、第１枝部４４ｂ２の片側にのみ設けられている。第２枝部４４ｂ３には、基端部が第２枝部４４ｂ３に固定され、第２枝部４４ｂ３に対して直角な水平方向に沿って延在する第２支持バー４４ａ２が、第２枝部４４ｂ３の片側にのみ設けられている。第１支持バー４４ａ１が、例えば靴ＳＬのトウ部を支持し、第２支持バー４４ａ２が、例えば靴ＳＬのヒール部を支持する。
第１支持バー４４ａ１と第２支持バー４４ａ２との間には、嵌合本体部４４ｂ１に基端部が固定され、第１支持バー４４ａ１および第２支持バー４４ａ２と平行に延在する中間支持バー４４ａ３が嵌合本体部４４ｂ１の片側にのみ設けられている。これらの第１支持バー４４ａ１、第２支持バー４４ａ２および中間支持バー４４ａ３により保持部４４ａが構成される（図１参照）。その他の構成は、両側支持靴保持ユニット４３と同様である。片側支持靴保持ユニット４４は、図１に示すように、支持バー４４ａ１，４４ａ２，４４ａ３を有しない側に、例えば、傘Ｕやステッキ等を配置する空間を創出することができる。
【００２２】
掛止フックユニット４５は、図１０に示すように、支柱３に外嵌され支柱３の軸心回りに回転可能な円筒状の嵌合本体部４５ｂ１、および嵌合本体部４５ｂ１に基端部が固定され、支柱３に対して直角な方向に突出するアーム部４５ｂ２が形成されている。アーム部４５ｂ２は、例えばアルミニウム合金鋳物製で、先端に向かって上下方向の巾が漸減する板状に形成され、アーム部４５ｂ２の先端部４５ｂ２ａは上方に向かう鈎状に一体に形成されている。アーム部４５ｂ２の基端部から先端部にかけて、アーム部４５ｂ２に対して直角な水平方向に突出し先端が上方に向かう複数のフック部４５ａ１が、アーム部４５ｂ２の両側に設けられている。フック部４５ａ１は、例えば、金属製の線状部材で形成されている。フック部４５ａ１には、例えば、キーホルダを掛止する。アーム部４５ｂ２の先端部４５ｂ２ａには、例えば帽子を掛止する。
これらの嵌合本体部４５ｂ１とアーム部４５ｂ２とにより嵌合部４５ｂが構成される（図１参照）。また、アーム部４５ｂ２の先端部４５ｂ２ａとフック部４５ａ１とにより保持部４５ａが構成される。アーム部４５ｂ２の先端部４５ｂ２ａとフック部４５ａ１との形状が、「保持部の形状」に相当する。また、嵌合本体部４５ｂ１が支柱３に嵌合された際に、嵌合本体部４５ｂ１の支柱３の軸心方向に沿う方向の長さが、「嵌合部の長さ」に相当する。また、アーム部４５ｂ２の先端部４５ｂ２ａが鈎状に一体に形成されていること、およびフック部４５ａ１がアーム部４５ｂ２の両側に複数設けられていることが、「嵌合部と保持部との結合形状」に相当する。
なお、「嵌合部の長さ」に相当する皿ユニット４２の嵌合本体部４２ｂ１、両側支持靴ユニット４３の嵌合本体部４３ｂ１、片側支持靴ユニット４４の嵌合本体部４４ｂ１、および掛止フックユニット４５の嵌合本体部４５ｂ１の長さは、第１実施形態の小物保持用スタンド１においては、等しいものとして設定されている。しかし、これに限定されるものではなく、必要に応じて嵌合本体部の長さを変えた小物保持ユニットとすることができる。
【００２３】
図１に示すように、積み重ねられる皿ユニット４２の嵌合本体部４２ｂ１と両側支持靴保持ユニット４３の嵌合本体部４３ｂ１との間、両側支持靴保持ユニット４３の嵌合本体部４３ｂ１と片側支持靴保持ユニット４４の嵌合本体部４４ｂ１との間、片側支持靴保持ユニット４４の嵌合本体部４４ｂ１と片側支持靴保持ユニット４４の嵌合本体部４４ｂ１との間には、支柱３の軸心回りに回転可能かつ着脱可能に支柱３に嵌合されるスペーサ４６が設けられている。
【００２４】
スペーサ４６は、各小物保持ユニット４の嵌合本体部４２ｂ１，４３ｂ１，４４ｂ１，４５ｂ１よりも、例えば、長い筒状に形成され、各スペーサ４６の上端面および下端面には各小物保持ユニット４の嵌合本体部の凹凸５と係合する同様の凹凸５が形成されている。隣接する小物保持ユニット４の嵌合本体部４２ｂ１等は、スペーサ４６を介して積み重ねられることで、隣接する小物保持ユニット４間に、使い勝手を良くする広いスペースを創出することができる。また、スペーサ４６を介した小物保持ユニット４の嵌合本体部４２ｂ１、嵌合本体部４３ｂ１等の間においても、相対回転を規制して積み重ねられた状態となるので、設定した小物保持ユニット４相互の配設位置を、保持された小物をぐらつかせることなく維持することができる。なお、スペーサ４６は、合本体部４２ｂ１，４３ｂ１，４４ｂ１，４５ｂ１の長さよりも長いものに限定されず、例えば、合本体部４２ｂ１，４３ｂ１，４４ｂ１，４５ｂ１の長さよりも短いもの、同じ長さのものとすることができる。
【００２５】
（小物保持用スタンドの組立方法）
台座２を載置される玄関の土間などに載置する。次に、支柱上部３ａと支柱下部３ｂとによる２本組みの支柱３を、支柱上部３ａの雄ねじ部と支柱下部３ｂの雌ねじ穴とを螺合することで、１本の支柱３とする。
１本となった支柱３の下端部を台座２の支持穴２３に挿入して固定する。支持穴２３は下方に向かって内径が漸減するため、支柱３を深く押し込むことで、台座２に支柱３が固定される。
次に、片側支持靴保持ユニット４４の嵌合部４４ｂを支柱３の先端部から外嵌することで、片側支持靴保持ユニット４４を、支柱３の下方に組み付ける。
同様に、スペーサ４６、片側支持靴保持ユニット４４、スペーサ４６、両側支持靴保持ユニット４３、スペーサ４６、掛止フックユニット４５、皿ユニット４２、皿ユニット４２の順に重ねることで支柱３に組み付ける。最後に、先端皿ユニット４１の支持筒部４１ｂの穴に支柱３の先端部を嵌入して、支柱３に先端皿ユニット４１を組み付ける。
支柱３に嵌合された小物保持ユニット４は、嵌合部４２ｂ，４３ｂ，４４ｂ，４５ｂを支柱３回りに回転させることで保持部４２ａ，４３ａ，４４ａ，４５ａを任意の位置に配置することができる。また、任意の位置に配置された保持部４２ａ，４３ａ，４４ａ，４５ａは、夫々の嵌合本体部４２ｂ１，４３ｂ１，４４ｂ１，４５ｂ１の上端面および下端面に設けられた凹凸５によって、その位置を維持することができる。
【００２６】
上述の記載で明らかなように、第１実施形態における小物保持用スタンド１は、設置面に載置され所定重量を有し上面に支持穴２３が設けられた台座２と、台座２の支持穴２３に下端部が嵌入され台座２に立設された支柱３と、支柱３に対して支柱３の軸心回りに回転可能かつ着脱可能に設けられる嵌合部４２ｂ，４３ｂ，４４ｂ，４５ｂと嵌合部４２ｂ，４３ｂ，４４ｂ，４５ｂに設けられ小物を保持する保持部４２ａ，４３ａ，４４ａ，４５ａとを有する複数の小物保持ユニット４と、を備え、複数の小物保持ユニット４は、嵌合部４２ｂ，４３ｂ，４４ｂ，４５ｂの長さ、保持部４２ａ，４３ａ，４４ａ，４５ａの形状、および嵌合部４２ｂ，４３ｂ，４４ｂ，４５ｂと保持部４２ａ，４３ａ，４４ａ，４５ａとの結合形状の少なくとも１つが異なる複数種類の小物保持ユニット４を含み、複数の小物保持ユニット４は、各嵌合部４２ｂ，４３ｂ，４４ｂ，４５ｂが支柱に嵌合されて積み重ねられることにより、所望の順序で支柱３に配設される。
【００２７】
これによると、複数の小物保持ユニット４は、嵌合部４２ｂ，４３ｂ，４４ｂ，４５ｂの長さ、保持部４２ａ，４３ａ，４４ａ，４５ａの形状、嵌合部４２ｂ，４３ｂ，４４ｂ，４５ｂと保持部４２ａ，４３ａ，４４ａ，４５ａの結合形状が異なる複数種類の小物保持ユニット４を含んでいるので、保持する小物の種類、小物保持用スタンド１の用途、小物保持用スタンド１が配置される場所に応じて、小物保持ユニット４の組み合わせを選択して、最も使用に適した小物保持用スタンド１とすることができる。
【００２８】
また、小物保持用スタンド１は、嵌合本体部４２ｂ１，４３ｂ１，４４ｂ１，４５ｂ１の上端面および下端面には凹凸５が形成され、支柱３に嵌合されて積み重ねられた隣接する嵌合本体部４２ｂ１，４３ｂ１，４４ｂ１，４５ｂ１の上端面および下端面に形成された凹凸５が、隣接する嵌合本体部４２ｂ１，４３ｂ１，４４ｂ１，４５ｂ１の相対回転を規制するように係合する。
これによると、回転可能に夫々設けられた嵌合本体部４２ｂ１，４３ｂ１，４４ｂ１，４５ｂ１は、隣接する嵌合本体部４２ｂ１，４３ｂ１，４４ｂ１，４５ｂ１の上端面および下端面に形成された凹凸５によって、隣接する嵌合本体部４２ｂ１，４３ｂ１，４４ｂ１，４５ｂ１同士の相対回転が規制される。そのため、嵌合本体部４２ｂ１，４３ｂ１，４４ｂ１，４５ｂ１に設けられた保持部４２ａ，４３ａ，４４ａ，４５ａ相互の配置を、嵌合本体部４２ｂ１，４３ｂ１，４４ｂ１，４５ｂ１を回転させることで用途に合わせて任意に変更できるとともに、回転を規制することで変更した保持部４２ａ，４３ａ，４４ａ，４５ａの配置を安定して維持することができる。
【００２９】
また、複数種類の小物保持ユニット４のうち両側支持靴保持ユニット４３は、嵌合部４３ｂの嵌合本体部４３ｂ１には、支柱３に対して交差する方向に突出する第１および第２枝部４３ｂ２，４３ｂ３が一体に形成され、両側支持靴保持ユニット４３の保持部４３ａは、第１枝部４３ｂ２に基端部が固定され水平方向に沿って延在し靴Ｓのトウ部を支持する第１支持バー４３ａ１と、第２枝部４３ｂ３に基端部が固定され第１支持バー４３ａ１と平行な方向に沿って延在し靴Ｓのヒール部を支持する第２支持バー４３ａ２と、を有する。
これによると、嵌合部４３ｂに基端部が固定され水平方向に沿って延在する第１支持バー４３ａ１と、嵌合部４３ｂに基端部が固定され第１支持バー４３ａ１と平行な方向に延在する第２支持バー４３ａ２と、いう極めて簡単な支持構造によって靴を確実に支持することができる。嵌合部４３ｂを回転させたり着脱させたりすることで、第１支持バー４３ａ１と第２支持バー４３ａ２とで組み合わされる両側支持靴保持ユニット４３を、最も使用に適した配置とすることができる。
【００３０】
また、掛止フックユニット４５の嵌合部４５ｂの嵌合本体部４５ｂ１は、支柱３に対して直角な方向に突出するアーム部４５ｂ２が一体に形成され、掛止フックユニット４５の保持部４５ａは、嵌合本体部４５ｂ１に基端部が固定され先端部が上方に向かう鈎状に形成された複数のフック部４５ａ１を有する。
これによると、嵌合本体部４５ｂ１に設けられた複数のフック部４５ａ１（アーム部の先端部４５ｂ２ａを含む）に掛止可能な小物を掛止して保持することができる。
【００３１】
また、積み重ねられる嵌合部４２ｂ，４３ｂ，４４ｂ，４５ｂの嵌合本体部４２ｂ１，４３ｂ１，４４ｂ１，４５ｂ１の間に、支柱３に嵌合されるスペーサ４６を更に備え、スペーサ４６の上端面および下端面には嵌合本体部４２ｂ１，４３ｂ１，４４ｂ１，４５ｂ１の凹凸５と係合する凹凸５が形成され、隣接する嵌合本体部４２ｂ１，４３ｂ１，４４ｂ１，４５ｂ１は、スペーサ４６を介して相対回転を規制して積み重ねられる。
これによると、隣接する嵌合本体部４２ｂ１，４３ｂ１，４４ｂ１，４５ｂ１の間にスペーサ４６を配設することで、隣接する嵌合本体部４２ｂ１，４３ｂ１，４４ｂ１，４５ｂ１間の長さを調節して使い易さを向上させる空間を創設し、保持部４２ａ，４３ａ，４４ａ，４５ａ相互の配置を用途に合わせて任意に変更できる。嵌合本体部４２ｂ１，４３ｂ１，４４ｂ１，４５ｂ１の凹凸５と係合する凹凸５によって、スペーサ４６が間に配設した場合においても、回転を規制することで保持部４２ａ，４３ａ，４４ａ，４５ａの相互の配置を安定して維持することができる。
【００３２】
また、台座２の上面には、支持穴２３の周りに、上方に開口し傘Ｕの先端部が挿入可能な挿入保持穴２４が設けられている。
これによると、台座２上方のデッドスペースを利用して、台座２上面の支持穴２３に閉じた傘Ｕを保持することで、複数の傘Ｕを効率的に保持することができる。
なお、第１実施形態において台座２は、傘Ｕを支持する挿入保持穴２４が上面に設けられたものとしたが、これに限定されず、例えば、挿入保持穴の無い円盤状のもの、三叉状に分かれた脚部からなるもの等の公知形状の台座を任意に選択することができる。
【００３３】
また、嵌合部（嵌合本体部）の上端面および下端面に設けられた凹凸５を、嵌合本体部の円周方向に沿って、直線的なプラス傾斜面５ａおよびマイナス傾斜面５ｂが交互に連続する凹凸５としたが、これに限定されず、例えば、曲線的なプラス傾斜面およびマイナス傾斜面が交互に連続する凹凸でもよい。
また、第１支持バー４３ａ１と第２支持バー４３ａ２とを同じ高さ位置に位置決めするものとしたが、これに限定されず、例えば、第１支持バーを第２支持バーよりも高い位置に位置決めしてもよい。この場合、例えば、第２支持バーよりわずかに高い位置であって、第１支持バーに対して第２支持バーよりわずかに遠い位置に、第２支持バーと平行に延在する落下防止バーを設けてもよい。これによって、第２支持バーから靴のヒール部がずれ落ちるのを防止する。
【００３４】
＜第２実施形態＞
次に、図１１〜図１６に基づき、本発明の小物保持用スタンドの第２実施形態について説明する。
第２実施形態の小物保持用スタンド７１は、図１１に示すように、両側支持靴保持ユニット４３、片側支持靴保持ユニット４４が設けられておらず、代わりに３つの皿ユニット４２が、掛止フックユニット４５の下方に配設されている。３つの皿ユニット４２の下方に、複数種類の小物保持ユニット４としてのスリッパ保持ユニット４８が配置されている。これらの点において、第１実施形態と相違する。その他の構成は、第１実施形態と同様であるので、同じ符号を付与して説明を省略する。
【００３５】
スリッパ保持ユニット４８は、図１１および図１４に示すように、支柱３の軸心回りに回転可能かつ着脱可能に支柱３に嵌合する嵌合部４８ｂと、嵌合部４８ｂの周囲に設けられる保持部４８ａとを有している。
嵌合部４８ｂは、図１２および図１４に示すように、支柱３に嵌合する筒状に形成された嵌合本体部４８ｂ１と嵌合本体部４８ｂ１の外周面の中間位置に周設されたフランジ部４８ｂ２とを有している。嵌合本体部４８ｂ１の上端面および下端面には第１実施形態と同様の凹凸５が形成されている。フランジ部４８ｂ２は、所定の巾で嵌合本体部４８ｂ１の外周面から半径方向に突出するよう形成され、上端面が滑らかに形成されている。
【００３６】
保持部４８ａは、図１３に示すように、嵌合本体部４８ｂ１に相対回転可能に外嵌する筒状支持部４８ａ１と、筒状支持部４８ａ１に一体の薄板状に形成され筒状支持部４８ａ１の外周面より半径方向に扇状に突出する複数（図１３において８つ）の拡張部４８ａ２とを有している。
筒状支持部４８ａ１は、内径がフランジ部４８ｂ２の外径よりも小さく形成され、嵌合本体部４８ｂ１に筒状支持部４８ａ１を嵌合させた際に、下端面がフランジ部４８ｂ２の上端面に当接するよう構成されている。複数の拡張部４８ａ２の間には、隣接する拡張部４８ａ２の半径方向に延在する外縁部により、所定間隔で離間する保持隙間４８ａ３が形成されている。ここで、筒状支持部４８ａ１と筒状支持部４８ａ１より半径方向に扇状に突出する拡張部４８ａ２と保持隙間部４８ａ３とが、「保持部の形状」に相当する。また、嵌合本体部４８ｂ１が支柱３に嵌合された際に、嵌合本体部４８ｂ１の支柱３の軸心方向に沿う方向の長さが、「嵌合部の長さ」に相当する。また、嵌合本体部４８ｂ１の外周面の中間位置に周設されたフランジ部４８ｂ２が形成され、嵌合本体部４８ｂ１に筒状支持部４８ａ１を嵌合させた際に、筒状支持部４８ａ１の下端面がフランジ部４８ｂ２の上端面に当接する形状であることが、「嵌合部と保持部との結合形状」に相当する。
【００３７】
保持隙間４８ａ３は、図１５および図１６に示すように、底面同士を合わせた１組のスリッパＳＲのライニング部分ＳＲａの厚みよりも大きく形成され、底面同士を合わせた１組のスリッパＳＲのアッパー部分ＳＲｂを含む前記厚み方向の長さよりも小さく形成されている。各拡張部４８ａ２は、図１４に示すように、外側に向かって上方に漸増する傾斜角が設けられている。各拡張部４８ａ２に設けられた傾斜角によって、保持隙間４８ａ３に保持されたスリッパＳＲが脱落しないようになっている。嵌合本体部４８ｂ１に対して筒状支持部４８ａ１を相対回転させることで、スリッパＳＲを保持する保持隙間４８ａ３を手前に滑らかに移動させたり、スリッパＳＲが保持された保持隙間４８ａ３を奥に移動させたりすることができる。
【００３８】
上述の記載で明らかなように、第２実施形態における小物保持用スタンド７１は、複数種類の小物保持ユニット４の保持部４８ａとして、嵌合部４８ｂから半径方向に拡張する複数の拡張部４８ａ２を有し、隣接する拡張部４８ａ２間には底面同士を合わせた１組のスリッパＳＲのライニング部分ＳＲａが挿入可能な隙間が設けられた複数の保持隙間４８ａ３を備えている。
これによると、支柱３に嵌合された嵌合部４８ｂから半径方向に拡張する複数の拡張部４８ａ２間に設けられた保持隙間４８ａ３によって、複数のスリッパＳＲを小さなスペースで効率的に保持することができる。支柱３の軸心回りに嵌合部４８ｂを回転させることで、保持隙間４８ａ３を手前に移動しスリッパＳＲの着脱を容易に行うことができる。
【００３９】
なお、複数の拡張部４８ａ２は、８つに限定されず、例えば、６つの拡張部４８ａ６（図１７）、５つの拡張部４８ａ５（図１８）、４つの拡張部４８ａ４（図１５および図１９）でもよい。また、拡張部は、薄板状のものに限定されず、例えば、図２０に示すように、９０度の角度で開いた状態で固定された２本の棒材４８ａａで拡張部４８ａ８が形成されるものでもよい。この場合、隣接する拡張部４８ａ８の棒材４８ａａが平行に保持され、保持隙間４８ａ９が構成される。
【００４０】
斯様に、上記した実施の形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００４１】
１…小物保持用スタンド、２…台座、２３…支持穴、２４…挿入保持穴、３…支柱、４…小物保持ユニット、４２…皿ユニット、４２ａ…皿部（保持部）、４２ｂ…嵌合部、４２ｂ１…嵌合本体部（嵌合部）、４３…両側支持靴保持ユニット、４３ａ…保持部、４３ｂ…嵌合部、４３ｂ１…嵌合本体部（嵌合部）、４４…片側支持靴保持ユニット、４４ａ…保持部、４４ｂ…嵌合部、４４ｂ１…嵌合本体部（嵌合部）、４５…掛止フックユニット、４５ａ…保持部、４５ａ１…フック部（保持部）、４５ｂ…嵌合部、４５ｂ１…嵌合本体部（嵌合部）、４６…スペーサ、４８…スリッパ保持ユニット、４８ａ…保持部、４８ａ２…拡張部、４８ａ３…保持隙間、４８ｂ…嵌合部、４８ｂ１…嵌合本体部（嵌合部）、５…凹凸、７１…小物保持用スタンド、Ｓ，ＳＳ，ＳＬ…靴、ＳＲ…スリッパ、ＳＲａ…ライニング部。
【図１】
2016136986.tif 000003
【図２】
2016136986.tif 000004
【図３】
2016136986.tif 000005
【図４】
2016136986.tif 000006
【図５】
2016136986.tif 000007
【図６】
2016136986.tif 000008
【図７】
2016136986.tif 000009
【図８】
2016136986.tif 000010
【図９】
2016136986.tif 000011
【図１０】
2016136986.tif 000012
【図１１】
2016136986.tif 000013
【図１２】
2016136986.tif 000014
【図１３】
2016136986.tif 000015
【図１４】
2016136986.tif 000016
【図１５】
2016136986.tif 000017
【図１６】
2016136986.tif 000018
【図１７】
2016136986.tif 000019
【図１８】
2016136986.tif 000020
【図１９】
2016136986.tif 000021
【図２０】
2016136986.tif 000022